(57)【特許請求の範囲】
【請求項１】
無線リソース調整方法であって、
無線アクセスネットワークにより、端末がネットワークにアクセスしてデータパケットの受送信を行う頻度及び／又はデータパケットの伝送帯域幅を示すための端末無線リソース使用パラメータを取得するステップと、
前記無線アクセスネットワークにより、前記端末無線リソース使用パラメータに基づいて、前記端末が占める無線ベアラリソースを調整するステップと
を含み、
前記端末は、調整後の無線ベアラリソースを用いてデータを伝送し、
前記無線アクセスネットワークにより、前記端末無線リソース使用パラメータに基づいて、前記端末が占める無線ベアラリソースを調整するステップが、
前記無線アクセスネットワークにより、通信事業者のポリシー及び前記端末のデータパケット特性に応じて、前記端末無線リソース使用パラメータに基づいて、前記端末が接続状態からアイドル状態に入る時間間隔を示す前記端末のアイドルタイマー時間パラメータ及び／又は前記端末が占める無線ベアラ帯域幅を調整するステップを含み、
前記無線アクセスネットワークにより、前記端末無線リソース使用パラメータに基づいて、前記端末のアイドルタイマー時間パラメータを調整するステップが、
前記無線アクセスネットワークにより、前記端末無線リソース使用パラメータに基づいて、前記端末がデータパケットを疎らに送信しているかそれとも頻繁に送信しているかを判定するステップと、
前記端末がデータパケットを疎らに送信している場合、前記無線アクセスネットワークにより、アイドルタイマー時間パラメータを短縮するステップと、
前記端末がデータパケットを頻繁に送信している場合、前記無線アクセスネットワークにより、アイドルタイマー時間パラメータを延長するステップと
を含む、方法。
【請求項２】
無線アクセスネットワークにより、端末無線リソース使用パラメータを取得するステップが、
コアネットワーク側により、前記端末無線リソース使用パラメータを取得するステップと、
前記無線アクセスネットワークにより、前記コアネットワーク側から前記端末無線リソース使用パラメータを受信するステップと
を含む、請求項１に記載の方法。
【請求項３】
コアネットワーク側により、前記端末無線リソース使用パラメータを取得するステップが、
前記コアネットワーク側により、契約データから前記端末無線リソース使用パラメータを取得するステップと、
前記コアネットワーク側のメディアゲートウェイにより、データパケットの受送信頻度及びデータパケットの伝送帯域幅に基づいて、前記端末無線リソース使用パラメータを取得するステップと、
前記コアネットワーク側の移動性管理ネットワークエレメントにより、端末のシグナリングにアクセスする頻度に基づいて、前記端末無線リソース使用パラメータを取得するステップと
のうちの一つを含む、請求項２に記載の方法。
【請求項４】
無線アクセスネットワークにより、端末無線リソース使用パラメータを取得するステップが、
前記無線アクセスネットワークにより、前記端末のデータパケットの受送信頻度及びデータパケットの伝送帯域幅を測定するステップと、
前記無線アクセスネットワークにより、測定結果に基づいて、前記端末無線リソース使用パラメータを取得するステップと
を含む、請求項１に記載の方法。
【請求項５】
前記無線アクセスネットワークにより、前記端末無線リソース使用パラメータに基づいて、前記端末が占める無線ベアラ帯域幅を調整するステップが、
前記無線アクセスネットワークにより、前記端末無線リソース使用パラメータ中のデータパケットの伝送帯域幅に基づいて、前記端末が占める無線ベアラ帯域幅を調整するステップを含む、請求項１に記載の方法。
【請求項６】
前記無線アクセスネットワークにより、前記端末無線リソース使用パラメータに基づいて、前記端末が占める無線ベアラリソースを調整するステップの後に、
前記無線アクセスネットワークにより、コアネットワークに調整後の無線ベアラリソースのパラメータを送信するステップを更に含む、請求項１に記載の方法。
【請求項７】
前記端末無線リソース使用パラメータが、前記端末のデータパケットの受送信頻度と、データパケットの伝送帯域幅と、前記端末がシグナリングにアクセスする頻度と、非連続受信ＤＲＸパラメータとのうちの少なくとも一つを含む、請求項１ないし６のいずれか一項に記載の方法。
【請求項８】
前記無線アクセスネットワークにより、前記端末無線リソース使用パラメータに基づいて、前記端末が占める無線ベアラリソースを調整するステップの後に、
前記端末が長時間に亘って接続状態を保持している場合、前記無線アクセスネットワークにより、ｌｏｎｇ  ＤＲＸパラメータを用いて、前記端末の動作を制御するステップをさらに含む、請求項１ないし６のいずれか一項に記載の方法。
【請求項９】
前記データパケットがスモールデータパケットである、請求項１ないし６のいずれか一項に記載の方法。
【請求項１０】
無線リソース調整装置であって、
端末がネットワークにアクセスしてデータパケットの受送信を行う頻度及び／又はデータパケットの伝送帯域幅を示す端末無線リソース使用パラメータを取得するように構成された取得モジュールと、
前記端末無線リソース使用パラメータに基づいて、調整後の無線ベアラリソースを用いてデータを伝送する前記端末が占める無線ベアラリソースを調整するように構成された無線リソース調整モジュールと、
を含み、
前記無線リソース調整モジュールが、
通信事業者のポリシー及び前記端末のデータパケット特性に応じて、前記端末無線リソース使用パラメータに基づいて、前記端末が接続状態からアイドル状態に入る時間間隔を示す前記端末のアイドルタイマー時間パラメータ及び／又は前記端末が占める無線ベアラ帯域幅を調整するように構成された調整ユニットを含み、
前記調整ユニットが前記端末無線リソース使用パラメータに基づいて、前記端末のアイドルタイマー時間パラメータを調整することは、
前記端末無線リソース使用パラメータに基づいて、前記端末がデータパケットを疎らに送信しているかそれとも頻繁に送信しているかを判定するステップと、
前記端末がデータパケットを疎らに送信している場合、前記無線アクセスネットワークにより、アイドルタイマー時間パラメータを短縮するステップと、
前記端末がデータパケットを頻繁に送信している場合、前記無線アクセスネットワークにより、アイドルタイマー時間パラメータを延長するステップと
によって行われる装置。
【請求項１１】
前記取得モジュールが、
コアネットワーク側からの前記端末無線リソース使用パラメータを受信するように構成された受信ユニットを含む、請求項１０に記載の装置。
【請求項１２】
前記取得モジュールが、
前記端末のデータパケットの受送信頻度及びデータパケットの伝送帯域幅を測定するように構成された測定ユニットと、
測定結果に基づいて、前記端末無線リソース使用パラメータを取得するように構成された取得ユニットと
を含む、請求項１０に記載の装置。
【発明の詳細な説明】
【技術分野】
【０００１】
本発明は、通信分野に関し、具体的に、無線リソース調整方法及び装置に関する。
【背景技術】
【０００２】
現在、マシンツーマシン（Ｍａｃｈｉｎｅ  ｔｏ  Ｍａｃｈｉｎｅ、Ｍ２Ｍと略称）の通信サービスはますます汎用されていて、例えば、物流システム、遠隔検針、スマートホーム等の分野で汎用されている。Ｍ２Ｍ事業者は主に、既存の無線ネットワークを利用してＭ２Ｍサービスを提供していて、例えば、汎用パケット無線サービス（Ｇｅｎｅｒａｌ  Ｐａｃｋｅｔ  Ｒａｄｉｏ  Ｓｅｒｖｉｃｅ、ＧＰＲＳと略称）ネットワーク、進化型パケットシステム（Ｅｖｏｌｖｅｄ  Ｐａｃｋｅｔ  Ｓｙｓｔｅｍ、ＥＰＳと略称）ネットワーク等のパケット交換（Ｐａｃｋｅｔ  Ｓｗｉｔｃｈｅｄ、ＰＳと略称）ネットワークを利用している。
【０００３】
第３世代移動通信システムにおいて、ＧＰＲＳは、汎用移動通信システムパケット交換（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｐａｃｋｅｔ  Ｓｗｉｔｃｈ、ＵＭＴＳ  ＰＳと略称）ドメインに進化された。図１は、関連技術に係るＵＭＴＳ  ＰＳのネットワークのアーキテクチャを示す図で、図１に示すように、当該ネットワークは無線ネットワークシステムと、サービングＧＰＲＳ支援ノードと、ゲートウェイＧＰＲＳ支援ノードと、ホームロケーションレジスタと、パケットデータネットワークとのネットワークエレメントを含む。
無線ネットワークシステム（Ｒａｄｉｏ  Ｎｅｔｗｏｒｋ  Ｓｙｓｔｅｍ、ＲＮＳと略称）はＮｏｄｅＢと無線ネットワークコントローラ（Ｒａｄｉｏ  Ｎｅｔｗｏｒｋ  Ｃｏｎｔｒｏｌｌｅｒ、ＲＮＣと略称）とを含む。その中、ＮｏｄｅＢは端末にエアインターフェースによる接続を提供し、ＲＮＣは主に、無線リソースの管理及びＮｏｄｅＢの制御に用いられる。ＲＮＣとＮｏｄｅＢとの間はＩｕｂインターフェースを介して接続され、端末はＲＮＳを介してＵＭＴＳのパケットコア（Ｐａｃｋｅｔ  Ｃｏｒｅ）にアクセスする。
【０００４】
サービングＧＰＲＳ支援ノード（Ｓｅｒｖｉｎｇ  ＧＰＲＳ  Ｓｕｐｐｏｒｔ  Ｎｏｄｅ、ＳＧＳＮと略称）は、Ｉｕインターフェースを介してＲＮＳに接続され、ユーザのルーティングエリア位置情報を記憶し、セキュリティ及びアクセスの制御を担っている。
【０００５】
ゲートウェイＧＰＲＳ支援ノード（Ｇａｔｅｗａｙ  ＧＰＲＳ  Ｓｕｐｐｏｒｔ  Ｎｏｄｅ、ＧＧＳＮと略称）は、内部でＧｎインターフェースを介してＳＧＳＮに接続され、端末のインターネットプロトコル（Ｉｎｔｅｒｎｅｔ  Ｐｒｏｔｏｃｏｌ、ＩＰと略称）アドレスの割り当て及び外部ネットワークへのゲートウェイ機能の実現を担っている。
【０００６】
ホームロケーションレジスタ（Ｈｏｍｅ  Ｌｏｃａｔｉｏｎ  Ｒｅｇｉｓｔｅｒ、ＨＬＲと略称）は、Ｇｒインターフェースを介してＳＧＳＮに接続され、Ｇｃインターフェースを介してＧＧＳＮに接続され、ユーザの契約したデータ及び現在位置しているＳＧＳＮアドレスを記憶する。
【０００７】
パケットデータネットワーク（Ｐａｃｋｅｔ  Ｄａｔａ  Ｎｅｔｗｏｒｋ、ＰＤＮと略称）は、Giインターフェースを介してＧＧＳＮに接続され、ユーザにパケットに基づくサービングネットワークを提供する。
【０００８】
図１において、マシン型通信（Ｍａｃｈｉｎｅ  Ｔｙｐｅ  Ｃｏｍｍｕｎｉｃａｔｉｏｎ、ＭＴＣと略称）ユーザ機器（Ｕｓｅｒ  Ｅｑｕｉｐｍｅｎｔ、ＵＥと略称）は、ＧＰＲＳネットワークを介してＭＴＣ  Ｓｅｒｖｅｒ又は他のＭＴＣ  ＵＥにデータ情報を伝送する必要がある。ＧＰＲＳネットワークは今回の伝送のためにＲＮＣ-ＳＧＳＮ-ＧＧＳＮ間のトンネリングを確立し、トンネリングはＧＰＲＳトンネリングプロトコル（ＧＰＲＳ  Ｔｕｎｎｅｌｉｎｇ  Ｐｒｏｔｏｃｏｌ、ＧＴＰと略称）に基づくものであって、データ情報はＧＴＰトンネリングを介して確実に伝送される。
【０００９】
システムアーキテクチャ進化（Ｓｙｓｔｅｍ  Ａｒｃｈｉｔｅｃｔｕｒｅ  Ｅｖｏｌｕｔｉｏｎ、ＳＡＥと略称）は、進化したパケットシステム（Ｅｖｏｌｖｅｄ  Ｐａｃｋｅｔ  Ｓｙｓｔｅｍ、ＥＰＳと略称）が高い伝送レート、短い伝送遅延、最適化のパケットを提供できると共に、進化したＵＴＲＡＮ（Ｅｖｏｌｖｅｄ  ＵＴＲＡＮ、Ｅ−ＵＴＲＡＮと略称）、ＵＭＴＳ陸上無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ、ＵＴＲＡＮと略称）、無線ＬＡＮ（Ｗｉｒｅｌｅｓｓ  Ｌｏｃａｌ  Ａｒｅａ  Ｎｅｔｗｏｒｋ、ＷＬＡＮと略称）、及び他の非第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰと略称）のアクセスネットワークの間の移動性管理を支援するように提出された。
【００１０】
図２は、関連技術に係るＥＰＳのネットワークのアーキテクチャを示す図で、図２に示すように、進化した無線アクセスネットワーク（Ｅｖｏｌｖｅｄ  Ｒａｄｉｏ  Ａｃｃｅｓｓ  Ｎｅｔｗｏｒｋ、Ｅ−ＲＡＮと略称）に含まれているネットワークエレメントは、ユーザのアクセスのために無線リソースを提供する進化型ノードＢ（Ｅｖｏｌｖｅｄ  ＮｏｄｅＢ、eＮｏｄｅＢと略称）であって、また、パケットデータネットワーク（Ｐａｃｋｅｔ  Ｄａｔａ  Ｎｅｔｗｏｒｋ、ＰＤＮと略称）はユーザにサービスを提供するネットワークであって、ＥＰＣはより低い遅延を提供し、さらに多い無線アクセスシステムによるアクセスを許可し、以下のネットワークエレメントを含む。
【００１１】
移動管理エンティティ（Ｍｏｂｉｌｉｔｙ  Ｍａｎａｇｅｍｅｎｔ  Ｅｎｔｉｔｙ、ＭＭＥと略称）は制御プレーンの機能エンティティで、ユーザデータを一時的に記憶するサーバであって、ＵＥのコンテキスト（例えば、ユーザ識別子、移動性管理状態、ユーザセキュリティパラメータ等）を管理及び記憶し、ユーザに一時的な識別子を割り当て、ＵＥが当該トラッキング領域又は当該ネットワークに駐在する場合、当該ユーザの認証を行う。
【００１２】
サービングゲートウェイ（Ｓｅｒｖｉｎｇ  Ｇａｔｅｗａｙ、ＳＧＷ又はＳ−ＧＷと略称）はユーザプレーンのエンティティで、ユーザプレーンのデータルーティング処理を行い、アイドル（ＥＣＭ_ＩＤＬＥ）状態のＵＥの下りデータを終了させ、例えばＩＰベアラサービスパラメータとネットワーク内部ルーティング情報等のＵＥのＳＡＥベアラ（ｂｅａｒｅｒ）コンテキストの管理及び記憶を行う。ＳＧＷは、３ＧＰＰシステム内部のユーザプレーンのアンカーで、１ユーザは１時刻において一つのＳＧＷしか有することができない。
【００１３】
パケットデータネットワークゲートウェイ（ＰＤＮ  Ｇａｔｅｗａｙ、ＰＧＷ又はＰ−ＧＷと略称）はＵＥのＰＤＮアクセスに用いられるゲートウェイで、ユーザＩＰアドレスを割り当て、３ＧＰＰと非３ＧＰＰアクセスシステムの移動性アンカーであって、ＰＧＷの機能はさらに、ポリシーの実施、課金の支援を含む。ユーザは同一の時刻に複数のＰＧＷにアクセスすることができる。ポリシー及び課金実施機能エンティティ（Ｐｏｌｉｃｙ  ａｎｄ  Ｃｈａｒｇｉｎｇ  Ｅｎｆｏｒｃｅｍｅｎｔ  Ｆｕｎｃｔｉｏｎ、ＰＣＥＦと略称）もＰＧＷに位置される。
物理的には、上記ＳＧＷとＰＧＷとは一体化されることができ、ＥＰＣシステムのユーザプレーンのネットワークエレメントはＳＧＷとＰＧＷとを含む。
【００１４】
ポリシー及び課金ルール機能エンティティ（Ｐｏｌｉｃｙ  ａｎｄ  Ｃｈａｒｇｉｎｇ  Ｒｕｌｅｓ  Ｆｕｎｃｔｉｏｎ、ＰＣＲＦと略称）はＰＣＥＦにポリシー制御及び課金ルールを提供する。
【００１５】
ホーム加入者サーバ（Ｈｏｍｅ  Ｓｕｂｓｃｒｉｂｅｒ  Ｓｅｒｖｅｒ、ＨＳＳと略称）はユーザ契約データを永久に記憶し、ＨＳＳに記憶されるコンテンツは、ＵＥの国際移動ユーザ識別子（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ、ＩＭＳＩと略称）、ＰＧＷのＩＰアドレスを含む。
【００１６】
ＭＴＣサーバは主にＭＴＣユーザ機器（ＭＴＣ  ＵＥ）の情報の収集及びデータの記憶／処理等を行い、また、ＭＴＣ  ＵＥに必要な管理を行う。
【００１７】
ＭＴＣ  ＵＥは通常、幾つかの収集機の情報を収集し、また、ＲＡＮノードを介してコアネットワークにアクセスして、ＭＴＣ  Ｓｅｒｖｅｒとデータ交換を行う。
【００１８】
図２において、ＭＴＣ  ＵＥは、ＥＰＳネットワークを介して、ＭＴＣ  Ｓｅｒｖｅｒ又は他のＭＴＣ  ＵＥにデータ情報を伝送する必要がある。ＳＡＥネットワークは当該伝送のためにＳＧＷ-ＰＧＷの間のＧＴＰトンネリングを確立し、データ情報をＧＴＰトンネリングを介して確実に伝送する。
【００１９】
Ｍ２Ｍサービスの要求に応じて、ネットワークによって端末の活性化、小データ量の伝送の各種の要求を実現する必要があるので、ＰＳパケットネットワークのアーキテクチャを補強し、図３に示すようにＰＳネットワークのＭＴＣ補強されたアーキテクチャは図３のように示され、ＰＳネットワークのアーキテクチャにＭＴＣ  ＩＷＦ（ＩｎｔｅｒＷｏｒｋｉｎｇ  Ｆｕｎｃｔｉｏｎ、相互接続機能ネットワークエレメント）ネットワークエレメントと関連するインターフェースをインポートしている。図３において、ＭＴＣ  ＳｅｒｖｅｒはユーザにＭ２Ｍアプリケーション制御を提供し、ＭＴＣ  Ｓｅｒｖｅｒは主にＭＴＣ機器の情報の収集及びデータの記憶／処理等を担っていて、また、ＭＴＣ機器（ＭＴＣ  ＵＥ）に必要な管理が行える。ＭＴＣ  ＩＷＦネットワークエレメントは、ネットワークのトポロジーの隠れとアプリケーション層やベアラ層のプロトコル変換を行っていて、ＭＴＣｓｐインターフェースを介してＭＴＣ  Ｓｅｒｖｅｒに接続され、Ｓ６ｍインターフェースを介してＨＳＳ／ＨＬＲに接続され、また、Ｔ５ａ／ｄを介してＳＧＳＮ／ＭＭＥに接続される。また、ＭＴＣiインターフェースを介してＰＧＷに接続され、Ｍ２Ｍサービスの実現のためにサービスを提供する。既存のＭＴＣ  ＩＷＦの機能は主に、ＭＴＣ  Ｓｅｒｖｅｒのアクティブメッセージを受信し、３ＧＰＰネットワークの関連するネットワークエレメントを介して、アクティブメッセージをＭＴＣ端末に送信することである。
【００２０】
ＭＴＣ端末が３ＧＰＰパケットネットワークにアクセスするプロセスは、図４のように示され、以下のステップを含む。
端末は、ネットワーク側にアタッチ要求を発して、ネットワークへのアクセスを要求する（ステップＳ４０２）。
ネットワーク側の移動性管理ネットワークエレメントＳＧＳＮ／ＭＭＥは、ＨＳＳからユーザ契約データをダウンロードし、端末に認証を行った後、メディアゲートウェイＧＧＳＮ／ＰＤＮ  ＧＷにベアラ確立要求を送信して、ベアラリソースを確立することを要求する（ステップＳ４０４）。
【００２１】
ＧＧＳＮ／ＰＤＮ  ＧＷは、端末にＩＰアドレス及び端末機器の識別子（Ｔｅｒｍｉｎａｌ  Ｅｑｕｉｐｍｅｎｔ  Ｉｄｅｎｔｉｔｙ、ＴＥＩＤと略称）等のベアラリソースを割り当て、また、ＳＧＳＮ／ＭＭＥにベアラ確立応答メッセージを返送して、ベアラリソース情報をＳＧＳＮ／ＭＭＥに返し、ベアラコンテキストに保持する（ステップＳ４０６）。
ＳＧＳＮ／ＭＭＥは、無線アクセスネットワーク（Ｒａｄｉｏ  Ａｃｃｅｓｓ  Ｎｅｔｗｏｒｋ、ＲＡＮと略称）に無線ベアラ確立要求を送信して、コアネットワークが担持しているサービス品質（Ｑｕａｌｉｔｙ  ｏｆ  Ｓｅｒｖｉｃｅ、ＱｏＳと略称）パラメータを無線アクセスネットワークへキャリーする（ステップＳ４０８）。
【００２２】
無線アクセスネットワークは、ＱｏＳパラメータをエアインターフェースの帯域幅にマッピングし、端末とのエアインターフェース上の無線ベアラリングを確立する（ステップＳ４１０）。
無線アクセスネットワークは、無線ベアラ確立応答をＳＧＳＮ／ＭＭＥに返送し、無線ベアラの確立に成功したことを通知し、また、ＲＡＮ側のＩＰアドレス及びＴＥＩＤトンネリングのポート識別子を返送する（ステップＳ４１２）。
下りデータが指定された無線アクセスネットワークのＩＰアドレス及びポートに送信されるように、ＳＧＳＮ／ＭＭＥはＧＧＳＮ／ＰＤＮ  ＧＷにベアラ補正を発する（ステップＳ４１４）。
【００２３】
既存のネットワークにおいて、多くのＭＴＣ端末は電池による給電方式を要求し、また、鉄道橋の圧力センサー、水位監視センサー、空気質検知センサー、水道検針端末等のような大部分の端末はスモールデータパケットの方式でＭＴＣサーバとのデータ伝送を行っていて、これらの端末は関連するモニターデータを収集してから、スモールデータパケットの方式でＭＴＣサーバに送信し、これらのデータパケットは頻繁に送信されることがあれば、疎らに送信されることもある。
【００２４】
頻繁に送信されるデータパケットである場合、ネットワークが端末を非アクティブにし、端末をｉｄｌｅ状態にさせた直後、端末が再びネットワークにアクセスしてデータパケットを送信することを要求してしまう恐れがあり、こうすると、ＲＲＣシグナリングが頻繁になり、最終的に、シグナリングストームが形成され、無線アクセスネットワークの正常な動作に影響を与えてしまうことになる。疎らに送信されるデータパケットである場合、端末がデータを送信した後、アクセス状態を一定の時間に亘って保持し、その後、ネットワークが端末を非アクティブにし、これにより、アクセス状態を保持する時間帯において、端末がエアインターフェースの接続を保持する必要があるので、電力消費がかなり多く、端末の電力消費の節約に不利である。現在、端末は以下のような二つのモードで節電を実現する。一つは、接続（ｃｏｎｎｅｃｔｅｄ）状態で非連続受信（Ｄｉｓｃｏｎｔｉｎｕｏｕｓ  Ｒｅｃｅｐｔｉｏｎ、ＤＲＸと略称）パラメータを用いて間欠的動作を制御することによって節電の目的を実現する方式であって、他の一つは、端末がアイドル（ｉｄｌｅ）モードに進入する方式である。また、スモールデータパケットの伝送方式であると、そのデータが占める帯域幅が小さいので、更に多いＭＴＣ端末がネットワークにアクセスできるように、エアインターフェースの帯域幅の最適化を考える必要がある。
【発明の概要】
【発明が解決しようとする課題】
【００２５】
本発明は、少なくとも、関連技術において端末がデータパケットを頻繁に又は疎らに送信することでシグナリングストームが発生するか又は端末の節電に不利である問題を解決できる無線リソース調整方法及び装置を提供することをその目的とする。
【課題を解決するための手段】
【００２６】
本発明の一態様によると、無線アクセスネットワークは、端末がネットワークにアクセスしてデータパケットの受送信を行う頻度及び／又はデータパケットの伝送帯域幅を示すための端末無線リソース使用パラメータを取得するステップと、無線アクセスネットワークは、端末無線リソース使用パラメータに基づいて、調整後の無線ベアラリソースを用いてデータを伝送する端末が占める無線ベアラリソースを調整するステップとを含む無線リソース調整方法を提供する。
【００２７】
無線アクセスネットワークが端末無線リソース使用パラメータを取得するステップは、コアネットワーク側が端末無線リソース使用パラメータを取得することと、無線アクセスネットワークがコアネットワーク側からの端末無線リソース使用パラメータを受信することとを含むことが好ましい。
【００２８】
コアネットワーク側が端末無線リソース使用パラメータを取得するステップは、コアネットワーク側が契約データから端末無線リソース使用パラメータを取得することと、コアネットワーク側のメディアゲートウェイがデータパケットの受送信頻度及びデータパケットの伝送帯域幅に基づいて、端末無線リソース使用パラメータを取得することと、コアネットワーク側の移動性管理ネットワークエレメントが端末のシグナリングにアクセスする頻度に基づいて、端末無線リソース使用パラメータを取得することとの中の一つを含むことが好ましい。
【００２９】
無線アクセスネットワークが端末無線リソース使用パラメータを取得するステップは、無線アクセスネットワークが端末のデータパケットの受送信頻度及びデータパケットの伝送帯域幅を測定することと、無線アクセスネットワークが測定結果に基づいて、端末無線リソース使用パラメータを取得することとを含むことが好ましい。
【００３０】
無線アクセスネットワークが端末無線リソース使用パラメータに基づいて、端末が占める無線ベアラリソースを調整するステップは、無線アクセスネットワークが通信事業者のポリシー及び端末のデータパケット特性に応じて、端末無線リソース使用パラメータに基づいて、端末が接続状態からアイドル状態に入る時間間隔を示す端末のアイドルタイマー時間パラメータ及び／又は端末が占める無線ベアラ帯域幅を調整するステップを含むことが好ましい。
【００３１】
無線アクセスネットワークが端末無線リソース使用パラメータに基づいて、端末のアイドルタイマー時間パラメータを調整するステップは、無線アクセスネットワークが端末無線リソース使用パラメータに基づいて、端末がデータパケットを疎らに送信しているかそれとも頻繁に送信しているかを判定することと、端末がデータパケットを疎らに送信していると、無線アクセスネットワークがアイドルタイマー時間パラメータを短縮することと、端末がデータパケットを頻繁に送信していると、無線アクセスネットワークがアイドルタイマー時間パラメータを延長することとを含むことが好ましい。
【００３２】
無線アクセスネットワークが端末無線リソース使用パラメータに基づいて、端末が占める無線ベアラ帯域幅を調整するステップは、無線アクセスネットワークが端末無線リソース使用パラメータ中のデータパケットの伝送帯域幅に基づいて、端末が占める無線ベアラ帯域幅を調整するステップを含むことが好ましい。
【００３３】
無線アクセスネットワークが端末無線リソース使用パラメータに基づいて端末が占める無線ベアラリソースを調整した後、上記方法は、無線アクセスネットワークがコアネットワークに調整後の無線ベアラリソースのパラメータを送信するステップを更に含むことが好ましい。
【００３４】
端末無線リソース使用パラメータは、端末のデータパケットの受送信頻度と、データパケットの伝送帯域幅と、端末がシグナリングにアクセスする頻度と、非連続受信（ＤＲＸ）パラメータとの中の少なくとも一つを含むことが好ましい。
【００３５】
無線アクセスネットワークが端末無線リソース使用パラメータに基づいて、端末が占める無線ベアラリソースを調整した後、上記方法は、端末が長時間に亘って接続状態を保持している場合、無線アクセスネットワークがｌｏｎｇ  ＤＲＸパラメータを用いて、端末の動作を制御するステップをさらに含むことが好ましい。
【００３６】
上記データパケットはスモールデータパケットであることが好ましい。
【００３７】
本発明の他の一態様によると、端末がネットワークにアクセスしてデータパケットの受送信を行う頻度及び／又はデータパケットの伝送帯域幅を示すための端末無線リソース使用パラメータを取得するように構成された取得モジュールと、端末無線リソース使用パラメータに基づいて、調整後の無線ベアラリソースを用いてデータを伝送する端末が占める無線ベアラリソースを調整するように構成された無線リソース調整モジュールと、を含む無線リソース調整装置を提供する。
【００３８】
取得モジュールは、コアネットワーク側からの端末無線リソース使用パラメータを受信するように構成された受信ユニットを含むことが好ましい。
【００３９】
取得モジュールは、端末のデータパケットの受送信頻度及びデータパケットの伝送帯域幅を測定するように構成された測定ユニットと、測定結果に基づいて、端末無線リソース使用パラメータを取得するように構成された取得ユニットとを含むことが好ましい。
【発明の効果】
【００４０】
本発明によると、３ＧＰＰネットワークにアクセスした端末がデータを頻繁に又は疎らに送信する場合、ネットワーク側が取得した端末無線リソース使用パラメータに基づいて無線リソースを調整して最適化することによって、ユーザ体験を低減させずに、ネットワークリソースの最適化を実現でき、端末がデータパケットの伝送を頻繁に行うことでシグナリングストームが発生することを防止し、また、端末の電力消費もある程度節約し、端末による省エネルギーも最大化し、良好なネットワークの最適化及び節電の効果を実現できる。また、データパケットを伝送する無線ベアラ帯域幅（特に、スモールデータパケットの場合、スモールデータパケットが占める帯域幅が小さいので、エアインターフェース帯域幅の最適化がさらに求められる）をある程度低減し、データパケットの帯域幅にマッチングさせることができ、ユーザ体験を低下させないと保証する前提で、一部の帯域幅リソースをリリースし、無線リソースの使用率の最大化を実現できる。
【００４１】
ここで説明する図面は本発明を理解させるためのもので、本発明の一部を構成し、本発明における実施例とその説明は本発明を解釈し、本発明を不当に限定するのではない。
【図面の簡単な説明】
【００４２】
【図１】関連技術に係るＵＭＴＳ  ＰＳのネットワークのアーキテクチャを示す図である。
【図２】関連技術に係るＥＰＳのネットワークのアーキテクチャを示す図である。
【図３】関連技術に係る補強されたＰＳネットワークのシステムアーキテクチャを示す図である。
【図４】関連技術に係るＭＴＣ端末が３ＧＰＰパケットネットワークにアクセスする際のリソース割り当て及びベアラ確立を示すフローチャートである。
【図５】本発明の実施例に係る無線リソース調整方法を示すフローチャートである。
【図６】本発明の実施例に係る無線リソース調整装置の構造を示すブロック図である。
【図７】本発明の好適な実施例１に係る無線リソース調整方法を示すフローチャートである。
【図８】本発明の好適な実施例２に係る無線リソース調整方法を示すフローチャートである。
【図９】本発明の好適な実施例３に係る無線リソース調整方法を示すフローチャートである。
【図１０】本発明の好適な実施例４に係る無線リソース調整方法を示すフローチャートである。
【発明を実施するための形態】
【００４３】
ここで、衝突しない限り、本願の実施例及び実施例中の特徴を互いに結合することができる。以下、図面を参照しつつ実施例を結合して本発明の実施例を詳しく説明する。
本発明の実施例によると無線リソース調整方法を提供し、図５は本発明の実施例に係る無線リソース調整方法を示すフローチャートで、図５に示すように、以下のステップＳ５０２〜ステップＳ５０４を含む。
無線アクセスネットワークは、端末無線リソース使用パラメータを取得し（ステップＳ５０２）、ここで、端末無線リソース使用パラメータは、端末がネットワークにアクセスしてデータパケットの受送信を行う頻度及び／又はデータパケットの伝送帯域幅を示すものである。
無線アクセスネットワークは端末無線リソース使用パラメータに基づいて、端末が占める無線ベアラリソースを調整し（ステップＳ５０４）、ここで、端末は調整後の無線ベアラリソースを用いてデータを伝送する。
【００４４】
関連技術において、端末がデータパケットを頻繁に送信すると、シグナリングストームが発生してしまい、端末がデータパケットを疎らに送信すると、端末の節電に不利である。本発明の実施例において、３ＧＰＰネットワークにアクセスした端末がデータを頻繁に又は疎らに送信する場合、ネットワーク側が取得した端末無線リソース使用パラメータに基づいて、無線リソースを調整して最適化することによって、ユーザ体験を低減させずに、ネットワークリソースの最適化を実現し、端末がデータパケットの伝送を頻繁に行うことでシグナリングストームが発生することを防止し、また、端末の電力消費もある程度節約し、端末による省エネルギーも最大化し、良好なネットワークの最適化及び節電の効果を実現できる。また、データパケットを伝送する無線ベアラ帯域幅（特に、スモールデータパケットの場合、スモールデータパケットが占める帯域幅が小さいので、エアインターフェース帯域幅の最適化がさらに求められる）をある程度低減し、データパケットの帯域幅にマッチングさせることができ、ユーザ体験を低下させないと保証する前提で、一部の帯域幅リソースをリリースし、無線リソースの使用率の最大化を実現できる。
【００４５】
上記端末無線リソース使用パラメータは、端末のデータパケットの受送信頻度と、データパケットの伝送帯域幅と、端末がシグナリングにアクセスする頻度と、非連続受信（ＤＲＸ）パラメータとの中の少なくとも一つを含むことが好ましい。ここで、データパケットの伝送帯域幅は、データパケットの最大伝送帯域幅、平均伝送帯域幅等のパラメータを含むことができる。データパケットの伝送帯域幅は単位時間内のデータパケットの長さによって計算して得ることができる。
【００４６】
ここで、ステップＳ５０２の無線アクセスネットワークが端末無線リソース使用パラメータを取得することは、（１）コアネットワーク側が端末無線リソース使用パラメータを取得してから、無線アクセスネットワークに送信する方式と、（２）無線アクセスネットワークが直接に端末無線リソース使用パラメータを測定して取得する方式との２種類の方式で実現することができる。以下、それぞれ説明する。
【００４７】
（１）コアネットワーク側が端末無線リソース使用パラメータを取得した後、無線アクセスネットワークに送信する方式
コアネットワーク側が端末無線リソース使用パラメータを取得するステップと、無線アクセスネットワークがコアネットワーク側からの端末無線リソース使用パラメータを受信するステップにより実現することができる。
【００４８】
コアネットワーク側が端末無線リソース使用パラメータを取得するステップは、コアネットワーク側が契約データから端末無線リソース使用パラメータを取得することと、コアネットワーク側のメディアゲートウェイがデータパケットの受送信頻度及びデータパケットの伝送帯域幅に基づいて端末無線リソース使用パラメータを取得することと、コアネットワーク側の移動性管理ネットワークエレメントが端末のシグナリングにアクセスする頻度に基づいて端末無線リソース使用パラメータを取得することの中の一つを含むことが好ましい。
【００４９】
（２）無線アクセスネットワークが直接に端末無線リソース使用パラメータを測定して取得する方式
無線アクセスネットワークが端末のデータパケットの受送信頻度及びデータパケットの伝送帯域幅を測定するステップと、無線アクセスネットワークが測定結果に基づいて端末無線リソース使用パラメータを取得するステップにより実現することができる。
【００５０】
本発明の一好適な実施例において、全ての端末が上記無線リソースの調整を行う必要があるではないことに鑑み、例えば、場合によっては、スモールデータパケット（ｓｍａｌｌ  ｄａｔａ）の端末のみが無線リソースを調整する必要があって、且つ、一部の通信事業者のポリシーの下で、ｓｍａｌｌ  ｄａｔａの端末も無線リソースの調整を行う必要がないので、ステップＳ５０４は、無線アクセスネットワークが通信事業者のポリシー及び端末のデータパケット特性に応じて、端末無線リソース使用パラメータに基づいて、端末のアイドルタイマー時間パラメータ及び／又は端末が占める無線ベアラ帯域幅を調整するステップを含み、ここで、アイドルタイマー時間パラメータは端末が接続状態からアイドル状態に入る時間間隔を示すものである。本好適な実施例において、端末のアイドルタイマー時間パラメータを調整すること、即ち端末がアイドル状態に入る時間間隔を制御することによって、端末がデータパケットを疎らに送信する場合、最も短い時間内に無線ベアラリソースをタイムリーにリリースし、アイドル状態に進入し、端末がデータパケットを頻繁に送信する場合、端末がデータパケットを受送信する時間間隔においてできる限り接続状態を保持することになる。
【００５１】
なお、実際の応用において、ステップＳ５０２において、ネットワーク側（コアネットワーク又はアクセスネットワーク）は、通信事業者のポリシーに基づいて、パラメータを測定して端末無線リソース使用パラメータを取得することもできる。
【００５２】
無線アクセスネットワークが端末無線リソース使用パラメータに基づいて、端末のアイドルタイマー時間パラメータを調整するステップは、無線アクセスネットワークが端末無線リソース使用パラメータに基づいて、端末がデータパケットを疎らに送信しているかそれとも頻繁に送信しているかを判定することと、端末がデータパケットを疎らに送信していると、無線アクセスネットワークがアイドルタイマー時間パラメータを短縮することと、端末がデータパケットを頻繁に送信していると、無線アクセスネットワークがアイドルタイマー時間パラメータを延長することとを含むことが好ましい。本好適な実施例において、端末がデータパケットを疎らに送信している場合、アイドルタイマー時間パラメータを短縮するように調整することによって、端末がデータパケットの伝送を終了する際、ＲＲＣ接続を直ちにリリースし、端末がアイドル状態に入り、端末がデータの伝送を終了した後高速にアイドル状態に入って節電する。また、端末がデータパケットを頻繁に送信する場合、無線アクセスネットワークの通信事業者のポリシー及びローカル配置に基づいて、アイドルタイマー時間パラメータを延長するように調整することによって、端末がデータパケットを伝送する間隔時間において、無線アクセスネットワークがＲＲＣ接続をリリースしなく、端末が再びデータパケットの受送信を行う際に依然として接続状態になっている。従って、無線アクセスネットワークからＲＲＣのリリース、ＲＲＣ接続の関連シグナリングが頻繁に現れることを防止し、シグナリングストームを最大限に避けることができる。
【００５３】
無線アクセスネットワークが端末無線リソース使用パラメータに基づいて、端末が占める無線ベアラ帯域幅を調整するステップは、無線アクセスネットワークが端末無線リソース使用パラメータ中のデータパケットの伝送帯域幅に基づいて、端末が占める無線ベアラ帯域幅を調整するステップを含むことが好ましい。本好適な実施例において、データパケットを伝送する無線ベアラ帯域幅（特に、スモールデータパケットの場合、スモールデータパケットが占める帯域幅が小さいので、エアインターフェース帯域幅の最適化がさらに求められる）をある程度低減し、データパケットの帯域幅にマッチングさせることができ、ユーザ体験を低下させないと保証する前提で、一部の帯域幅リソースをリリースし、従って、エアインターフェースリソースを節約し、無線リソースの使用率の最大化を実現できる。
【００５４】
無線アクセスネットワークが端末無線リソース使用パラメータに基づいて、端末が占める無線ベアラリソースを調整した後、上記方法は、無線アクセスネットワークがコアネットワークに調整後の無線ベアラリソースのパラメータを送信するステップを更に含むことが好ましい。コアネットワークは、例えばベアラ帯域幅等の調整後の無線ベアラリソースパラメータに基づいて、コアネットワークベアラリソースの補正を行って、無線ベアラとコアネットワークベアラのＱｏＳパラメータを一致させる。
【００５５】
無線アクセスネットワークは端末無線リソース使用パラメータに基づいて、端末が占める無線ベアラリソースを調整した後、上記方法は、端末が長時間に亘って接続状態を保持している場合、無線アクセスネットワークがｌｏｎｇ  ＤＲＸパラメータを用いて、端末の動作を制御するステップを更に含むことが好ましい。本好適な実施例において、端末がずっとｃｏｎｎｅｃｔｅｄ状態である場合、ｌｏｎｇ  ＤＲＸパラメータによって節電を実現し、端末が短いＤＲＸ  ｏｎ周期においてデータの受送信を行い、長いＤＲＸ  ＯＦＦ周期においてデータの受送信を行わないことによって、端末の省エネルギーを実現することができる。ここで、ｌｏｎｇ  ＤＲＸパラメータをＳＧＳＮ／ＭＭＥから取得することができ、また、無線アクセスネットワークが通信事業者のポリシーに応じて制定することもできる。
上記データパケットはスモールデータパケットであることが好ましい。
【００５６】
本発明の実施例によるとさらに無線リソース調整装置を提供し、当該無線リソース調整装置は上記無線リソース調整方法を実現することのできるものである。図６は本発明の実施例に係る無線リソース調整装置の構造を示すブロック図で、図６に示すように、当該装置は、取得モジュール６２と、無線リソース調整モジュール６４とを含む。以下その構造を詳しく説明する。
取得モジュール６２は端末無線リソース使用パラメータを取得するように構成され、ここで、端末無線リソース使用パラメータは端末がネットワークにアクセスしてデータパケットの受送信を行う頻度及び／又はデータパケットの伝送帯域幅を示すものである。無線リソース調整モジュール６４は取得モジュール６２に接続され、取得モジュール６２が取得した端末無線リソース使用パラメータに基づいて、端末が占める無線ベアラリソースを調整するように構成され、ここで、端末が無線リソース調整モジュール６４が調整した後の無線ベアラリソースを用いてデータを伝送する。
【００５７】
端末無線リソース使用パラメータは、端末のデータパケットの受送信頻度、データパケットの伝送帯域幅、端末がシグナリングにアクセスする頻度、非連続受信（ＤＲＸ）パラメータの中の少なくとも一つを含むことが好ましい。
【００５８】
取得モジュール６２は、コアネットワーク側からの端末無線リソース使用パラメータを受信するように構成された受信ユニットを含むことが好ましい。この時、無線アクセスネットワークが受信したのはコアネットワークが取得した端末無線リソース使用パラメータである。
【００５９】
コアネットワーク側が端末無線リソース使用パラメータを取得するステップは、コアネットワーク側が契約データから端末無線リソース使用パラメータを取得することと、コアネットワーク側のメディアゲートウェイがデータパケットの受送信頻度及びデータパケットの伝送帯域幅に基づいて、端末無線リソース使用パラメータを取得することと、コアネットワーク側の移動性管理ネットワークエレメントが端末のシグナリングにアクセスする頻度に基づいて、端末無線リソース使用パラメータを取得することとの中の一つを含むことが好ましい。
【００６０】
取得モジュール６２は、端末のデータパケットの受送信頻度及びデータパケットの伝送帯域幅を測定するように構成された測定ユニットと、測定ユニットに接続され、測定結果に基づいて端末無線リソース使用パラメータを取得するように構成された取得ユニットと、を更に含むことが好ましい。
【００６１】
無線リソース調整モジュール６４は、通信事業者のポリシー及び端末のデータパケット特性に応じて、端末無線リソース使用パラメータに基づいて、端末のアイドルタイマー時間パラメータ及び／又は端末が占める無線ベアラ帯域幅を調整するように構成された調整ユニットを含むことが好ましく、ここで、アイドルタイマー時間パラメータは端末が接続状態からアイドル状態に入る時間間隔を示す。
【００６２】
ここで、調整ユニットが端末のアイドルタイマー時間パラメータを調整するステップは、端末無線リソース使用パラメータに基づいて、端末がデータパケットを疎らに送信しているかそれとも頻繁に送信しているかを判定することと、端末がデータパケットを疎らに送信していると、無線アクセスネットワークがアイドルタイマー時間パラメータを短縮することと、端末がデータパケットを頻繁に送信していると、無線アクセスネットワークがアイドルタイマー時間パラメータを延長することとを含む。
【００６３】
調整ユニットが端末の占める無線ベアラ帯域幅を調整するステップは、端末無線リソース使用パラメータ中のデータパケットの長さ情報に基づいて、端末が占める無線ベアラ帯域幅を調整するステップを含む。
【００６４】
上記装置は、無線リソース調整モジュール６４に接続され、コアネットワークに無線リソース調整モジュール６４が調整した後の無線ベアラリソースのパラメータを送信するように構成された送信モジュールをさらに含むことが好ましい。
【００６５】
端末が長時間に亘って接続状態を保持している場合、無線アクセスネットワークはｌｏｎｇ  ＤＲＸパラメータを用いて端末の動作を制御することが好ましい。
【００６６】
上記データパケットはスモールデータパケットであることが好ましい。
なお、装置実施例に記載の無線リソース調整装置は上記の方法実施例に対応し、その具体的な実現プロセスは方法実施例で説明したので、ここでは説明を省略する。
【００６７】
他の好適な実施例において、上記無線リソース調整装置（ネットワーク側）は、無線リソース測定モジュールと、無線リソースパラメータ転送モジュールと、無線リソース調整モジュールとによって実現することもできる。本好適な実施例において、スモールデータパケットを例として説明する。
【００６８】
ここで、無線リソース測定モジュール（上記取得モジュール６２の機能を実現する）は、スモールデータパケットの受送信を行う端末に対して、無線リソース使用パラメータの測定を行うように構成され、サービスの開始頻度と、データパケットの伝送帯域幅と、シグナリングにアクセスする頻度と、ＤＲＸパラメータと、これらの組合せの中のいずれかを含む。
【００６９】
無線リソースパラメータ転送モジュール（上記送信モジュールの機能を実現する）は、コアネットワーク側が無線リソース使用パラメータを無線アクセス側に転送する、及び無線アクセス側が調整後の無線リソースパラメータをコアネットワーク側に転送するように構成される。
【００７０】
無線リソース調整モジュール（上記無線リソース調整モジュール６４の機能を実現する）は、無線アクセスネットワークが、無線リソース使用パラメータに基づいて、アイドルタイマー時間パラメータ及び／又は無線ベアラ帯域幅の調整を行うように構成される。
【００７１】
上述のように、端末が３ＧＰＰネットワークにアクセスした後、ネットワーク側は一部の端末（例えば、スモールデータパケット（ｓｍａｌｌ  ｄａｔａ）の端末）に対して無線リソースの最適化制御を行う必要があり、端末がデータパケットを頻繁に伝送することでシグナリングストームが発生する問題を防止する必要があれば、端末による省エネルギーの最大化を実現する必要もあり、また、データパケットの実際の帯域幅に応じてエアインターフェース帯域幅の調整を行う必要もあり、こうして、３ＧＰＰのユーザ体験を低減さないと保証する前提で、無線リソースの利用の最適化を実現することができる。本発明の上記実施例は、主にネットワーク側の無線リソースの最適化制御を行う問題を解決し、ネットワークの無線リソースの利用が最適化され、シグナリングストームを最大限に低減し、端末の節電を最適化すると共に、ユーザ体験を低減させることがない。
【００７２】
上記実施例において、端末がネットワークにアクセスした後データパケットの受送信を行う場合、ネットワーク側のネットワークエレメントは端末のデータパケットの特性及び通信事業者のポリシーに応じて、端末無線リソース使用パラメータに基づいて、端末がアイドル状態に入るアイドルタイマー時間パラメータ及び端末のデータ伝送に必要な帯域幅を調整する。端末がデータパケットを疎らに送信する場合、アイドルタイマー時間パラメータを短縮するように調整することによって、端末がデータパケットの伝送を終了する時、直ちにＲＲＣ接続をリリースし、端末がアイドル状態に入り、端末がデータの伝送を終了した後高速にアイドル状態に入って節電する。また、端末がデータパケットを頻繁に送信する場合、無線アクセスネットワークの通信事業者のポリシー及びローカル配置に応じて、アイドルタイマー時間パラメータを延長するように調整することによって、端末がデータパケットを伝送する間隔時間において、無線アクセスネットワークがＲＲＣ接続をリリースしなく、端末が再びデータパケットの受送信を行う時に依然として接続状態になっている。これにより、無線アクセスネットワークからＲＲＣのリリース、ＲＲＣ接続の関連シグナリングが頻繁に現れることを防止し、ネットワークのシグナリングストームを最大限に避けることができる。端末がずっとｃｏｎｎｅｃｔｅｄ状態である場合、ｌｏｎｇ  ＤＲＸパラメータによって節電して、端末が短いＤＲＸ  ｏｎ周期においてデータの受送信を行い、長いＤＲＸ  ＯＦＦ周期においてデータの受送信を行わないことにすることができる。
【００７３】
そして、無線アクセスネットワークが、無線リソース使用パラメータの中のデータパケットの伝送帯域幅、例えばデータパケットの最大伝送帯域幅、平均伝送帯域幅等のパラメータに基づいて、通信事業者のポリシーに応じて、無線ベアラ帯域幅の調整を行って、データパケットを伝送する無線ベアラ帯域幅（特に、スモールデータパケット）をある程度低減し、無線ベアラ帯域幅がデータパケットの帯域幅にマッチングさせ、ユーザ体験を低減さないと保証する前提で、一部の帯域幅リソースをリリースし、無線リソースの使用率の最大化を実現できる。
【００７４】
本発明の技術案と実現方法を更に明確にするため、以下、好適な実施例を結合して実現プロセスを詳しく説明する。以下の好適な実施例１〜４において、スモールデータパケットを例として、上記無線リソース調整方法を説明する。
【００７５】
好適な実施例１
本好適な実施例において、端末が３ＧＰＰネットワークにアクセスした後、移動性管理ネットワークエレメントＳＧＳＮ／ＭＭＥがユーザ契約データから端末無線リソース使用パラメータを取得し、ネットワークアクセスシグナリング（Ｎｅｔｗｏｒｋ  Ａｃｃｅｓｓ  Ｓｉｇｎａｌｉｎｇ、ＮＡＳと略称）応答メッセージに含ませて無線アクセスネットワークＲＮＣ／ｅＮＢにキャリーする場合を説明する。無線アクセスネットワークは、端末無線リソース使用パラメータに基づいて、以下のように端末の無線リソースの動的調整を行う。スモールデータパケットの受送信する頻度が低い（即ち、スモールデータパケットを疎らに送信する）と、端末がデータの受送信を終了した後に早くｉｄｌｅ状態になって節電するように、アイドルタイマー時間を短縮する。また、スモールデータパケットを受送信する頻度が高い（即ち、スモールデータパケットを頻繁に送信する）と、端末がスモールデータの受送信を行う時間間隔においてできるだけＲＲＣ接続のリリースを開始しなく、シグナリングストームを低減するように、アイドルタイマー時間を延長する。現在の無線ベアラ帯域幅が契約したデータパケットの伝送帯域幅より高いと、現在の無線ベアラ帯域幅を適切に低減し、現在の無線ベアラ帯域幅が契約したデータパケットの伝送帯域幅より低いと、現在の無線ベアラ帯域幅を適切に向上させる。端末がずっとｃｏｎｎｅｃｔｅｄ状態であると、無線アクセスネットワークがｌｏｎｇ  ＤＲＸパラメータによって、端末の電力消費を節約する。上述した動的調整によって、ネットワークがスモールデータパケットの動的調整に対応してネットワークリソースを最適化し、シグナリングストームを防止し、端末の電力消費をある程度節約でき、同時に、エアインターフェースの帯域幅を最適化し、更に多いＭＴＣ端末がネットワークにアクセスすることができる。
【００７６】
図７は本発明の好適な実施例１に係る無線リソース調整方法を示すフローチャートで、図７に示すように、具体的に以下のステップを含む。
３ＧＰＰ端末は、３ＧＰＰネットワークのＲＡＮアクセスネットワークにＮＡＳアクセス要求、例えば、アタッチ又は位置更新要求を発し、ＲＡＮは一つのサービングＳＧＳＮ／ＭＭＥを選択し、当該要求をＳＧＳＮ／ＭＭＥに送信する。ＮＡＳアクセス要求又は無線リソース制御プロトコル（Ｒａｄｉｏ  Ｒｅｓｏｕｒｃｅ  Ｃｏｎｔｒｏｌ、ＲＲＣと略称）接続要求にｓｍａｌｌ  ｄａｔａ指示を含むことができる（ステップＳ７０２）。
ＳＧＳＮ／ＭＭＥは、ＨＳＳに位置更新要求を送信し、ＨＳＳはＩＭＳＩ識別子に基づいて、端末が非制限端末であると識別し、当該端末の契約データを探す（ステップＳ７０４）。
【００７７】
ＨＳＳは、当該端末の契約情報をＳＧＳＮ／ＭＭＥに送信し、ＳＧＳＮ／ＭＭＥは当該端末にアクセス認証を行う。ＳＧＳＮ／ＭＭＥは、契約データから無線リソース使用パラメータを取得することができ、スモールデータパケットの受送信頻度、データパケットの伝送帯域幅、ＤＲＸパラメータと、その組合せの中のいずれかを含み、また、ＤＲＸパラメータはＳＧＳＮ／ＭＭＥより通信事業者のポリシーに基づいて調整されることができ、例えば、節電のためｌｏｎｇ  ＤＲＸパラメータに調整することができる（ステップＳ７０６）。
そして、無線アクセスネットワークＲＡＮ／ｅＮＢがｓｍａｌｌ  ｄａｔａ指示から、スモールデータパケットの受送信を行う端末であることは把握すると、無線アクセスネットワークはＳＧＳＮ／ＭＭＥに端末の無線リソース使用パラメータを要求することもできる（ステップＳ７０８）。
【００７８】
ＳＧＳＮ／ＭＭＥは端末の無線リソース使用パラメータを無線アクセスネットワークに送信し、ＮＡＳアクセス応答メッセージに含ませて送信することができれば、ＳＧＳＮ／ＭＭＥが無線アクセスネットワークに発した無線ベアラ確立要求メッセージに含ませることもできる。無線ベアラ確立メッセージに契約したＱｏＳパラメータを含むこともできる（ステップＳ７１０）
無線アクセスネットワークは端末の無線リソース使用パラメータを受信した後、端末との無線ベアラを確立する。また、ｓｍａｌｌ  ｄａｔａの特性及び通信事業者のポリシーに基づいて、アイドルタイマー時間パラメータ及び無線ベアラの帯域幅を調整する（ステップＳ７１２）
【００７９】
無線アクセスネットワークは、端末無線リソース使用パラメータに基づいて、以下のように端末の無線リソースの動的調整を行う。スモールデータパケットを受送信する頻度が低い（即ち、スモールデータパケットを疎らに送信する）と、端末がデータの受送信を終了した後に早くｉｄｌｅ状態になって節電するように、アイドルタイマー時間を短縮する。また、スモールデータパケットを受送信する頻度が高い（即ち、スモールデータパケットを頻繁に送信する）と、端末がスモールデータの受送信を行う時間間隔においてできるだけＲＲＣ接続のリリースを開始しなく、シグナリングストームを低減するように、アイドルタイマー時間を延長する。また、現在の無線ベアラ帯域幅が契約したデータパケットの伝送帯域幅より高いと、現在の無線ベアラ帯域幅を適切に低減し、現在の無線ベアラ帯域幅が契約したデータパケットの伝送帯域幅より低いと、現在の無線ベアラ帯域幅を適切に向上させる
【００８０】
端末がずっとｃｏｎｎｅｃｔｅｄ状態であると、この時、無線アクセスネットワークがｌｏｎｇ  ＤＲＸパラメータによって端末の電力消費を節約する。端末は短いＤＲＸ  ｏｎ周期においてデータの受送信を行い、長いＤＲＸ  ＯＦＦ周期においてデータの受送信を行わない。
【００８１】
無線ベアラを確立し、無線ベアラのパラメータを調整した後、ＳＧＳＮ／ＭＭＥに通知し、ＳＧＳＮ／ＭＭＥは、コアネットワーク帯域幅と無線側帯域幅が一致するように、調整後の帯域幅に基づいて、コアネットワークベアラの補正を行う（ステップＳ７１４）。
無線ベアラとコアネットワークベアラの確立を完成した後、両側の帯域幅は一致する（ステップＳ７１６ａ〜ステップＳ７１６ｂ）。
端末は無線ベアラ及びコアネットワークベアラにおいてスモールデータパケットの受送信を行い、無線リソースが動的に調整されたので、ネットワークの最適化及び端末の省エネルギー効果の最適化を実現できる（ステップＳ７１８）。
【００８２】
好適な実施例２
本好適な実施例において、端末が３ＧＰＰネットワークにアクセスした後、無線アクセスネットワークがｓｍａｌｌ  ｄａｔａの受送信の間隔及びデータパケットの長さを測定することで端末無線リソース使用パラメータを取得する場合を説明する。無線アクセスネットワークは、端末無線リソース使用パラメータに基づいて、以下のように端末の無線リソースの動的調整を行う。スモールデータパケットを受送信する頻度が低い（即ち、スモールデータパケットを疎らに送信する）と、端末がデータの受送信を終了した後に早くｉｄｌｅ状態になって節電するように、アイドルタイマー時間を短縮する。また、スモールデータパケットを受送信する頻度が高い（即ち、スモールデータパケットを頻繁に送信する）と、端末がスモールデータの受送信を行う時間間隔においてできるだけＲＲＣ接続のリリースを開始しなく、シグナリングストームを低減するように、アイドルタイマー時間を延長する。現在の無線ベアラ帯域幅が実際使用中のデータパケットの伝送帯域幅より高いと、現在の無線ベアラ帯域幅を適切に低減し、現在の無線ベアラ帯域幅が実際使用中のデータパケットの伝送帯域幅より低いと、現在の無線ベアラ帯域幅を適切に向上させる。端末がずっとｃｏｎｎｅｃｔｅｄ状態であると、無線アクセスネットワークがｌｏｎｇ  ＤＲＸパラメータによって、端末の電力消費を節約する。上述した動的調整によって、ネットワークがスモールデータパケットの動的調整に対応してネットワークリソースを最適化し、シグナリングストームを防止し、端末の電力消費をある程度節約でき、同時に、エアインターフェースの帯域幅を最適化し、更に多いＭＴＣ端末がネットワークにアクセスすることができる。
【００８３】
図８は本発明の好適な実施例２に係る無線リソース調整方法を示すフローチャートで、図８に示すように、具体的に以下のステップを含む。
３ＧＰＰ端末は、３ＧＰＰネットワークのＲＡＮアクセスネットワークにＲＲＣ確立要求を発して、無線ベアラの接続を確立することを要求する。ＲＲＣ接続要求にｓｍａｌｌ  ｄａｔａ指示を含むことができる（ステップＳ８０２）
アタッチフローによって、ＲＡＮは一つのサービングＳＧＳＮ／ＭＭＥを選択し、ＳＧＳＮ／ＭＭＥによってベアラを確立し、最終的に無線ベアラ及びコアネットワークベアラを確立する。コアネットワークベアラのＱｏＳパラメータを無線ベアラにマッピングすると、ｓｍａｌｌ  ｄａｔａを送信する際の実際の帯域幅が割り当てられた帯域幅が一致しなく、帯域幅リソースを浪費してしまう恐れがある（ステップＳ８０４ａ〜ステップＳ８０４ｂ）。
【００８４】
端末は、無線ベアラ及びコアネットワークベアラを介して、スモールデータパケットの受送信を行う（ステップＳ８０６）。
無線アクセスネットワークは、通信事業者のポリシーに応じて、無線リソース使用パラメータの測定メカニズムを起動させ、一定の周期において、無線ベアラで単位時間内で受送信されたスモールデータパケットの長さ（例えば、最大長さパラメータ、平均長さパラメータ）を測定して、スモールデータパケットの伝送帯域幅を得て、例えば最大伝送帯域幅、平均伝送帯域幅等のパラメータを得る（ステップＳ８０８）。
【００８５】
正常なフローによると、アイドルタイマーがオーバーフローする時、無線アクセスネットワークはＲＲＣ接続をリリースし、端末はアイドル状態に入る（ステップＳ８１０）。
端末は、再びｓｍａｌｌ  ｄａｔａサービスを発し、改めてＲＲＣ接続要求を行って、ネットワークにアクセスしてｓｍａｌｌ  ｄａｔａの受送信を行うことを要求する（ステップＳ８１２）。
【００８６】
無線アクセスネットワークは、一定の周期において、端末がｓｍａｌｌ  ｄａｔａの受送信を行う頻度を測定する（ステップＳ８１４）。
無線アクセスネットワークは、端末の無線リソース使用パラメータを取得した後、端末との無線ベアラを確立する。また、ｓｍａｌｌ  ｄａｔａの特性及び通信事業者のポリシーに応じて、アイドルタイマー時間パラメータ及び無線ベアラの帯域幅を調整する（ステップＳ８１６）。
【００８７】
無線アクセスネットワークは、端末無線リソース使用パラメータに基づいて、以下のように端末の無線リソースの動的調整を行う。スモールデータパケットを受送信する頻度が低い（即ち、スモールデータパケットを疎らに送信する）と、端末がデータの受送信を終了した後に早くｉｄｌｅ状態になって節電するように、アイドルタイマー時間を短縮する。また、スモールデータパケットを受送信する頻度が高い（即ち、スモールデータパケットを頻繁に送信する）と、端末がスモールデータの受送信を行う時間間隔においてできるだけＲＲＣ接続のリリースを開始しなく、シグナリングストームを低減するように、アイドルタイマー時間を延長する。現在の無線ベアラ帯域幅が実際使用中のデータパケットの伝送帯域幅より高いと、現在の無線ベアラ帯域幅を適切に低減し、現在の無線ベアラ帯域幅が実際使用中のデータパケットの伝送帯域幅より低いと、現在の無線ベアラ帯域幅を適切に向上させる。
【００８８】
端末がずっとｃｏｎｎｅｃｔｅｄ状態であると、無線アクセスネットワークがｌｏｎｇ  ＤＲＸパラメータによって、端末の電力消費を節約する。端末は短いＤＲＸ  ｏｎ周期においてデータの受送信を行い、長いＤＲＸ  ＯＦＦ周期においてデータの受送信を行わない。ｌｏｎｇ  ＤＲＸパラメータはＳＧＳＮ／ＭＭＥから取得することができ、無線アクセスネットワークが通信事業者のポリシーに基づいて制定することもできる。
【００８９】
無線ベアラが確立され、無線ベアラのパラメータを調整した後、サービス要求メッセージに含ませてＳＧＳＮ／ＭＭＥにへキャリーする（ステップＳ８１８）。
ＳＧＳＮ／ＭＭＥは、調整後の帯域幅に基づいて、コアネットワークベアラの補正を行う（ステップＳ８２０）。
【００９０】
ＳＧＳＮ／ＭＭＥは、ベアラ補正応答メッセージを受信した後、コアネットワークベアラのＱｏＳパラメータが既に補正されたと判定すると、無線アクセスネットワークに無線ベアラ確立／補正要求を発し、要求メッセージに更新されたＱｏＳパラメータを含む（ステップＳ８２２）。
無線アクセスネットワークは、更新されたＱｏＳパラメータを無線ベアラにマッピングし、コアネットワークベアラと無線ベアラの帯域幅を一致させる。無線ベアラとコアネットワークベアラの更新に成功した（ステップＳ８２４ａ〜ステップＳ８２４ｂ）。
端末は、無線ベアラ及びコアネットワークベアラにおいてスモールデータパケットの受送信を行い、無線リソースが動的に調整されたので、ネットワークの最適化及び端末の省エネルギー効果の最適化を実現できる（ステップＳ８２６）。
【００９１】
好適な実施例３
本好適な実施例において、端末が３ＧＰＰネットワークにアクセスした後、コアネットワーク側のメディアゲートウェイＧＧＳＮ／ＰＤＮ  ＧＷはｓｍａｌｌ  ｄａｔａの受送信間隔及びデータパケットの長さの測定によって端末無線リソース使用パラメータを取得し、また、ＳＧＳＮ／ＭＭＥを介して無線アクセスネットワークに送信する場合を説明する。無線アクセスネットワークは、端末無線リソース使用パラメータに基づいて、以下のように端末の無線リソースの動的調整を行う。スモールデータパケットを受送信する頻度が低い（即ち、スモールデータパケットを疎らに送信する）と、端末がデータの受送信を終了した後に早くｉｄｌｅ状態になって節電するように、アイドルタイマー時間を短縮する。また、スモールデータパケットを受送信する頻度が高い（即ち、スモールデータパケットを頻繁に送信する）と、端末がスモールデータの受送信を行う時間間隔においてできるだけＲＲＣ接続のリリースを開始しなく、シグナリングストームを低減するように、アイドルタイマー時間を延長する。現在の無線ベアラ帯域幅が実際使用中のデータパケットの伝送帯域幅より高いと、現在の無線ベアラ帯域幅を適切に低減し、現在の無線ベアラ帯域幅が実際使用中のデータパケットの伝送帯域幅より低いと、現在の無線ベアラ帯域幅を適切に向上させる。端末がずっとｃｏｎｎｅｃｔｅｄ状態であると、無線アクセスネットワークがｌｏｎｇ  ＤＲＸパラメータによって、端末の電力消費を節約する。上述した動的調整によって、ネットワークがスモールデータパケットの動的調整に対応してネットワークリソースを最適化し、シグナリングストームを防止し、端末の電力消費をある程度節約でき、同時に、エアインターフェースの帯域幅を最適化し、更に多いＭＴＣ端末がネットワークにアクセスすることができる。
【００９２】
図９は本発明の好適な実施例３に係る無線リソース調整方法を示すフローチャートで、図９に示すように、具体的に以下のステップを含む。
３ＧＰＰ端末は、３ＧＰＰネットワークのＲＡＮアクセスネットワークにＲＲＣ確立要求を発して、無線ベアラの接続を確立することを要求する。ＲＲＣ接続要求にｓｍａｌｌ  ｄａｔａ指示を含むことができる（ステップＳ９０２）。
アタッチフローによって、端末はＳＧＳＮ／ＭＭＥにＮＡＳアクセス要求を送信し、例えばアタッチ要求又は位置更新要求を送信し、ＲＡＮは一つのサービングＳＧＳＮ／ＭＭＥを選択し、ＳＧＳＮ／ＭＭＥによってベアラの確立を行って、最終的に、無線ベアラ及びコアネットワークベアラを確立する。ＮＡＳアクセス要求にｓｍａｌｌ  ｄａｔａ指示を含むことができる（ステップＳ９０４）。
【００９３】
ＳＧＳＮ／ＭＭＥは端末のためにコアネットワークベアラを確立し、また、無線アクセスネットワークに無線ベアラを確立することを通知する。コアネットワークベアラのＱｏＳパラメータが無線ベアラにマッピングされると、ｓｍａｌｌ  ｄａｔａを送信する際の実際の帯域幅が割り当てられた帯域幅と一致しなく、帯域幅リソースを浪費してしまう恐れがある（ステップＳ９０６ａ〜ステップＳ９０６ｂ）。
端末は、無線ベアラ及びコアネットワークベアラによってスモールデータパケットの受送信を行う（ステップＳ９０８）。
【００９４】
コアネットワーク側のメディアゲートウェイＧＧＳＮ／ＳＧＷ／ＰＧＷは、通信事業者のポリシーに応じて、無線リソース使用パラメータの測定メカニズムを起動し、一定の周期内において、コアネットワークベアラでスモールデータパケットを受送信する受送信頻度、及び単位時間内のスモールデータパケットの長さ（例えば、最大長さパラメータ、平均長さパラメータ）を測定して、スモールデータパケットの伝送帯域幅、例えば最大伝送帯域幅、平均伝送帯域幅等のパラメータを取得する（ステップＳ９１０）。
メディアゲートウェイは、測定を完成した後、ＳＧＳＮ／ＭＭＥに無線リソース使用パラメータを返送する（ステップＳ９１２）。
【００９５】
そして、無線アクセスネットワークＲＡＮ／ｅＮＢが、ｓｍａｌｌ  ｄａｔａ指示に基づいて、スモールデータパケットの受送信を行う端末であることを把握した場合、無線アクセスネットワークはＳＧＳＮ／ＭＭＥに端末の無線リソース使用パラメータを要求することができる（ステップＳ９１４）。
ＳＧＳＮ／ＭＭＥは、通信事業者のポリシーに応じて、ｌｏｎｇ  ＤＲＸパラメータを無線リソース使用パラメータに含ませることができ、また、端末の無線リソース使用パラメータを無線アクセスネットワークに送信することができる。また、ＮＡＳアクセス応答メッセージで送信することができれば、ＳＧＳＮ／ＭＭＥが無線アクセスネットワークに発した無線ベアラ確立要求メッセージに含ませることもできる。無線ベアラ確立メッセージに実際に測定した帯域幅パラメータを含むことができる（ステップＳ９１６）。
無線アクセスネットワークは、端末の無線リソース使用パラメータを取得した後、端末との無線ベアラを確立する。また、ｓｍａｌｌ  ｄａｔａの特性及び通信事業者のポリシーに基づいて、アイドルタイマー時間パラメータ及び無線ベアラの帯域幅を調整する（ステップＳ９１８）。
【００９６】
無線アクセスネットワークは、端末無線リソース使用パラメータに基づいて、以下のように端末の無線リソースの動的調整を行う。スモールデータパケットを受送信する頻度が低い（即ち、スモールデータパケットを疎らに送信する）と、端末がデータの受送信を終了した後に早くｉｄｌｅ状態になって節電するように、アイドルタイマー時間を短縮する。また、スモールデータパケットを受送信する頻度が高い（即ち、スモールデータパケットを頻繁に送信する）と、端末がスモールデータの受送信を行う時間間隔においてできるだけＲＲＣ接続のリリースを開始しなく、シグナリングストームを低減するように、アイドルタイマー時間を延長する。現在の無線ベアラ帯域幅が実際使用中のデータパケットの伝送帯域幅より高いと、現在の無線ベアラ帯域幅を適切に低減し、現在の無線ベアラ帯域幅が実際使用中のデータパケットの伝送帯域幅より低いと、現在の無線ベアラ帯域幅を適切に向上させる。
【００９７】
端末がずっとｃｏｎｎｅｃｔｅｄ状態であると、無線アクセスネットワークがｌｏｎｇ  ＤＲＸパラメータによって、端末の電力消費を節約する。端末が短いＤＲＸ  ｏｎ周期においてデータの受送信を行い、長いＤＲＸ  ＯＦＦ周期においてデータの受送信を行わない。ｌｏｎｇ  ＤＲＸパラメータをＳＧＳＮ／ＭＭＥから取得することができれば、無線アクセスネットワークが通信事業者のポリシーに基づいて制定することもできる。
【００９８】
無線ベアラを確立し、無線ベアラのパラメータを調整した後、ＳＧＳＮ／ＭＭＥに通知し、ＳＧＳＮ／ＭＭＥは調整後の帯域幅に基づいて、コアネットワークベアラの補正を行うことで、コアネットワーク帯域幅と無線側帯域幅とを一致させる。無線ベアラとコアネットワークベアラを確立し、更新を完成する（ステップＳ９２０）。
端末は、無線ベアラ及びコアネットワークベアラでスモールデータパケットの受送信を行い、無線リソースが動的に調整されたので、ネットワークの最適化及び端末の省エネルギー効果の最適化を実現できる（ステップＳ９２２）。
【００９９】
好適な実施例４
本好適な実施例において、端末が３ＧＰＰネットワークにアクセスした後、コアネットワーク側の移動性管理ネットワークエレメントＳＧＳＮ／ＭＭＥが、ＮＡＳアクセスシグナリングを測定することで端末無線リソース使用パラメータを取得して、無線アクセスネットワークに送信する場合を説明する。無線アクセスネットワークは、端末無線リソース使用パラメータに基づいて、以下のように端末の無線リソースの動的調整を行う。スモールデータパケットを受送信するためのＮＡＳアクセスシグナリングの頻度が低い（即ち、スモールデータパケットを疎らに送信する）と、端末がデータの受送信を終了した後に早くｉｄｌｅ状態になって節電するように、アイドルタイマー時間を短縮する。また、スモールデータパケットを受送信するためのＮＡＳアクセスシグナリングの頻度が高い（即ち、スモールデータパケットを頻繁に送信する）と、端末がスモールデータの受送信を行う時間間隔においてできるだけＲＲＣ接続のリリースを開始しなく、シグナリングストームを低減するように、アイドルタイマー時間を延長する。端末がずっとｃｏｎｎｅｃｔｅｄ状態であると、無線アクセスネットワークがｌｏｎｇ  ＤＲＸパラメータによって、端末の電力消費を節約する。上述した動的調整によって、ネットワークがスモールデータパケットの動的調整に対応してネットワークリソースを最適化し、シグナリングストームを防止し、端末の電力消費をある程度節約できる。
【０１００】
図１０は、本発明の好適な実施例４に係る無線リソース調整方法を示すフローチャートで、図１０に示すように、具体的に以下のステップを含む。
３ＧＰＰ端末は、３ＧＰＰネットワークのＲＡＮアクセスネットワークにＲＲＣ確立要求を発して、無線ベアラ接続の確立を要求する。ＲＲＣ接続要求にｓｍａｌｌ  ｄａｔａ指示を含むことができる（ステップＳ１００２）。
アタッチフローによって、端末はＳＧＳＮ／ＭＭＥにＮＡＳアクセス要求を送信し、例えば、アタッチ要求又は位置更新要求を送信し、ＲＡＮは一つのサービングＳＧＳＮ／ＭＭＥを選択し、ＳＧＳＮ／ＭＭＥによってベアラの確立を行い、最終的に、無線ベアラ及びコアネットワークベアラを確立する。ＮＡＳアクセス要求にｓｍａｌｌ  ｄａｔａ指示を含むことができる（ステップＳ１００４）。
【０１０１】
また、端末はＮＡＳアクセスシグナリングにｓｍａｌｌ  ｄａｔａデータを含ませてＳＧＳＮ／ＭＭＥに送信し、ＳＧＳＮ／ＭＭＥによって、さらにＭＴＣ  ＩＷＦを介してＭＴＣ  Ｓｅｒｖｅｒに送信することもできる。当該場合において、コアネットワーク移動性管理ネットワークエレメントＳＧＳＮ／ＭＭＥは、通信事業者のポリシーに基づいて、無線リソース使用パラメータの測定メカニズムを起動させ、一定の周期内において、コアネットワークベアラでのＮＡＳアクセスシグナリングの受送信頻度を測定する（ステップＳ１００６ａ）。
また、端末は、ＩＰベアラを介してスモールデータパケットを受送信することができ、この時、端末はサービスを発する前、頻繁にｓｅｒｖｉｃｅ  ｒｅｑｕｅｓｔ要求を発してベアラを確立又は更新する必要がある。当該状況において、コアネットワーク移動性管理ネットワークエレメントＳＧＳＮ／ＭＭＥは、通信事業者のポリシーに基づいて、無線リソース使用パラメータの測定メカニズムを起動させ、一定の周期内において、コアネットワークベアラでのＮＡＳアクセスシグナリングの受送信頻度を測定する（ステップＳ１００６ｂ）。
【０１０２】
ＳＧＳＮ／ＭＭＥは、測定に基づいて、端末の無線リソースアクセスパラメータを取得する（ステップＳ１００８）。
また、無線アクセスネットワークＲＡＮ／ｅＮＢが、ｓｍａｌｌ  ｄａｔａ指示から、スモールデータパケットの受送信を行う端末であることを把握した場合、無線アクセスネットワークはＳＧＳＮ／ＭＭＥに端末の無線リソース使用パラメータを要求することもできる（ステップＳ１０１０）。
【０１０３】
ＳＧＳＮ／ＭＭＥは、通信事業者のポリシーに基づいて、ｌｏｎｇ  ＤＲＸパラメータを無線リソース使用パラメータに含ませて、端末の無線リソース使用パラメータを無線アクセスネットワークに送信することができる（ステップＳ１０１２）。
無線アクセスネットワークは端末の無線リソース使用パラメータを取得した後、ｓｍａｌｌ  ｄａｔａの特性及び通信事業者のポリシーに基づいて、アイドルタイマー時間パラメータを調整する（ステップＳ１０１４）。
【０１０４】
無線アクセスネットワークは、端末無線リソース使用パラメータに基づいて、以下のように端末の無線リソースの動的調整を行う。スモールデータパケットを受送信するためのＮＡＳアクセスシグナリングの頻度が低い（即ち、スモールデータパケットを疎らに送信する）と、端末がデータの受送信を終了した後に早くｉｄｌｅ状態になって節電するように、アイドルタイマー時間を短縮する。また、スモールデータパケットを受送信するためのＮＡＳアクセスシグナリングの頻度が高い（即ち、スモールデータパケットを頻繁に送信する）と、端末がスモールデータの受送信を行う時間間隔においてできるだけＲＲＣ接続のリリースを開始しなく、シグナリングストームを低減するように、アイドルタイマー時間を延長する。
【０１０５】
端末がずっとｃｏｎｎｅｃｔｅｄ状態であると、無線アクセスネットワークがｌｏｎｇ  ＤＲＸパラメータによって、端末の電力消費を節約する。端末が短いＤＲＸ  ｏｎ周期においてデータの受送信を行い、長いＤＲＸ  ＯＦＦ周期においてデータの受送信を行わない。ｌｏｎｇ  ＤＲＸパラメータをＳＧＳＮ／ＭＭＥから取得することができれば、無線アクセスネットワークが通信事業者のポリシーに基づいて制定することもできる。
【０１０６】
無線アクセスネットワークは、プロセスに従って、後続のアクセスの制御又はデータの受送信操作を行うことができるが、ここでは説明を省略する。
【０１０７】
なお、フローチャートに示すステップを１セットのコンピュータが命令を実行可能なコンピュータシステムで行うことができ、また、フローチャートにロジック順を示しているが、図面に示すステップ又は説明したステップを他の順で行うこともできることは言うまでもない。
【０１０８】
上述のように、本発明の上記実施例の無線リソース調整方法及び装置によると、３ＧＰＰネットワークにアクセスした端末がデータを頻繁に又は疎らに送信する場合、ネットワーク側が取得した端末無線リソース使用パラメータに基づいて無線リソースを調整して最適化することによって、ユーザ体験を低減させずに、ネットワークリソースの最適化を実現し、端末がデータパケットの伝送を頻繁に行うことでシグナリングストームが発生することを防止し、また、端末の電力消費もある程度節約し、端末による省エネルギーも最大化し、良好なネットワークの最適化及び節電の効果を実現できる。また、データパケットを伝送する無線ベアラ帯域幅（特に、スモールデータパケットの場合、スモールデータパケットが占める帯域幅が小さいので、エアインターフェース帯域幅の最適化がさらに求められる）をある程度低減し、データパケットの帯域幅にマッチングさせることができ、ユーザ体験を低下させないと保証する前提で、一部の帯域幅リソースをリリースし、無線リソースの使用率の最大化を実現できる。
【０１０９】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１１０】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【０１１１】
６２  取得モジュール
６４  無線リソース調整モジュール
【図１】
0006371290.tif 000002
【図２】
0006371290.tif 000003
【図３】
0006371290.tif 000004
【図４】
0006371290.tif 000005
【図５】
0006371290.tif 000006
【図６】
0006371290.tif 000007
【図７】
0006371290.tif 000008
【図８】
0006371290.tif 000009
【図９】
0006371290.tif 000010
【図１０】
0006371290.tif 000011